【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
廃棄物を収集及び押圧する装置であって、
・  主要ピボット部材（１３）が上方へと取り付けられる少なくとも１つの中央支持基部（１１）と、
・  取外し可能であり、固定部材（１４）及び可動部材（１５）によって構成される、可変の形状及び寸法を有する少なくとも１つの主要ピボット部材（１３）と、
・  前記可動部材（１５）の内側の前記主要ピボット部材（１３）内における、可変の形状及び寸法を有する少なくとも１つの廃棄物圧縮チャンバ（１８）と、
・  前記支持基部（１１）上へと配置される、廃棄物の処理に対する少なくとも１つのゲート（１２）、及び前記支持基部（１１）内部における前記廃棄物の処理及び一時的格納に対する少なくとも１つの廃棄物処理のチャンバ（１７）と、
・  前記中央支持基部（１１）の内側における廃棄物圧縮を上方向に持ち上げ且つ制御し、一時的格納廃棄物チャンバ（１７）から前記廃棄物圧縮チャンバ（１８）まで動く、少なくとも１つのシステム（２０）と、
・  多種の形状及び寸法を取り得る少なくとも一連の複数のピボット部材（２５）、該部材（２５）を取り込み且つ解放するリム（２６）、及び該リム（２６）を動かすためのピストン搬送システム（３９）を有する、前記圧縮チャンバ（１８）の下方の開放端又は部分的開放端において取り付けられる廃棄物を保留する少なくとも１つのシステム（２４）と、
・  一端において前記固定部材（１４）に、他端において前記可動部材（１５）に対して接続される、少なくとも１つの廃棄物圧縮チャンバ（１８）の移動に対する少なくとも１つの装置（１９）と、
・  前記廃棄物圧縮チャンバ（１８）上へと固定的に取り付けられるガイド上へと動く、前記廃棄物圧縮チャンバ（１８）の内部から外方向に摺動する少なくとも１つの廃棄物のスクープ手段（２９）と、
・  前記廃棄物圧縮チャンバ（１８）及び廃棄物処理のチャンバ（１７）を消毒する少なくとも１つのシステム（３０）と、
・  前記ゲート（１２）の自動開放に対する少なくとも１つの接近検出手段（２８）と、
・  水供給ネットワーク（３２）及び／又は水の内蔵リザーバに対する接続の手段を備える少なくとも１つのチャンバ（１７，１８）洗浄システム（３１）と、
・  洗浄後の残余液体の除去に対する下水設備（排水路）（３３）との接続の手段と、
・  火災報知センサ手段（３５）及び水のノズル（３６）を有する、当該ステーション装置の内部における自動消火システム（３４）と、
・  全ての適切なボタン及びスイッチ始動手段、容積及び重量のデジタルインジケータ、前記チャンバ（１８）の充満のデジタルインジケータ、及び他の必要な機器を有する、当該装置上の適切なポイントにおいて位置決めされる制御及び操作ユニット（３７）と、
・  少なくとも１つの換気ユニット（２７）と、
・  自治体当局又は他の管轄権を有する当局等の管理の中央ユニットにおいて遠隔測定システムを備える、データ転送の手段を有するデータ（圧縮された廃棄物の容積及び重量、日付等）監視センサ（３８）と、
・  電流を生成するためのソーラーパネル（４２）の任意追加と、
を有する廃棄物を収集及び押圧する装置。
【請求項２】
前記中央支持基部（１１）、及び前記固定部材（１４）及び前記可動部材（１５）によって構成される前記主要ピボット部材（１３）の外形は、当該装置の内部機能要素によっては確定又は定義されない、
という事実によって特徴付けられる請求項１記載の廃棄物を収集及び押圧する装置。
【請求項３】
前記固定部材（１４）は、前記支持基部（１１）上へと固定的に取り付けられる一方、前記可動部材（１５）は、少なくとも１つのポイントにおいて前記固定部材に対して接続される、
という事実によって特徴付けられる請求項１及び２記載の廃棄物を収集及び押圧する装置。
【請求項４】
前記固定部材（１４）は、ベアリング（１６）の適切な配置を用いて前記可動部材（１５）に接続され、回転の軸を構成する前記ベアリング（１６）の配置を有して可動部材（１５）の回転を可能にし、少なくとも前記可動部材（１５）の内部を空にするよう、あるいは業務を行なうよう必要とされる程度の傾斜を前記固定部材（１４）に対して相対的にもたらす、
という事実によって特徴付けられる請求項１乃至３記載の廃棄物を収集及び押圧する装置。
【請求項５】
前記移動装置（１９）は、少なくとも１つの水圧シリンダによって構成され、金属装置を介して一端では前記固定部材（１４）及び他端では前記可動部材（１５）を有して接続され、
を有して接続され、前記ベアリング（１６）の配置の周囲において前記可動部材（１５）の回転を可能にする、
という事実によって特徴付けられる請求項１乃至４記載の廃棄物を収集及び押圧する装置。
【請求項６】
前記廃棄物圧縮チャンバ（１８）は、可変の寸法及び形状を有するチャンバであり、その上方端又はその一部は閉鎖される一方、その下方端又はその一部は夫々開放される、
という事実によって特徴付けられる請求項１及び２記載の廃棄物を収集及び押圧する装置。
【請求項７】
前記廃棄物圧縮チャンバ（１８）は、前記可動部材（１５）内に設置され、前記可動部材（１５）は、その外側カバーを構成する、
という事実によって特徴付けられる請求項１乃至６記載の廃棄物を収集及び押圧する装置。
【請求項８】
前記ピボット部材（２５）は、各ピボット部材（２５）の一端がチャンバ（１８）上へと支持される一方で他端は自由であるよう、前記廃棄物圧縮チャンバ（１８）の下方端の周囲に周方向に置かれる、という事実と、
前記ピボット部材（２５）の回転の軸は、前記廃棄物圧縮チャンバ（１８）における支持点である、という事実と、
前記ピボット部材（２５）は、前記廃棄物圧縮チャンバ（１８）の壁に対して垂直配向の位置から９０度まで上方向に自由に回転され、重力を受けて再度初期位置に戻り、また、前記廃棄物圧縮チャンバ（１８）の内部を空にするよう所望される際に９０度下方向に回転される、という事実と、
によって特徴付けられる請求項１乃至７記載の廃棄物を収集及び押圧する装置。
【請求項９】
前記廃棄物を保留するシステム（２４）の前記リム（２６）は、前記ピボット部材（２５）の支持点の上方における適切な高さにおいて前記廃棄物圧縮チャンバ（１８）の外側の周囲において周方向に配置され、
前記リムは、前記ピボット部材（２５）に接続され、該リムが下方向に動く際、前記廃棄物圧縮チャンバ（１８）の壁に対して垂直方向に向けられる位置を取るよう前記ピボット部材（２５）を押圧して前記廃棄物を保留するようにされる一方、前記リムが上方向に動く際、前記部材は、解放され、その重量によって下方向に動かされるかあるいは水圧シリンダ（４１）によって押され、前記廃棄物を解放する、
という事実によって特徴付けられる請求項１乃至８記載の廃棄物を収集及び押圧する装置。
【請求項１０】
前記ピボット部材（２５）は、矩形形状を望ましくは有し、可変の寸法において摩擦及び圧力に高い耐性を有する多種の強固な材料から製造される、
という事実によって特徴付けられる請求項１乃至９に記載の廃棄物を収集及び押圧する装置。
【請求項１１】
前記廃棄物の持上げ及び制御された圧縮のシステム（２０）は、前記廃棄物圧縮チャンバ（１８）の断面と同一の形状及び寸法を有する少なくとも１つの平坦な表面から構成される少なくとも１つの廃棄物上方向持上げディスクを有し、前記持上げディスク（２２）の下部においては、前記持上げディスクの運動に対する装置（２１）があり、該装置は、少なくとも１つの伸縮可能な水圧シリンダであり、該シリンダは伸張及び収縮され、夫々前記持上げディスクの上方向及び下方向の運動を達成する、
という事実によって特徴付けられる請求項１及び６乃至１０記載の廃棄物を収集及び押圧する装置。
【請求項１２】
前記廃棄物持上げディスク（２５）の表面は開口を備えられ、その数は前記ピボット部材（２５）の数と同等であり、該開口は、前記持上げディスクが前記ピボット部材（２５）のレベルの上方にある際、その下方向運動中に妨害されることなく前記圧縮チャンバ（１８）の壁に対して垂直方向に向けられる前記ピボット部材（２５）を通過することを可能とするよう、寸法及び構造を有する一方、前記ピボット部材（２５）は、前記持上げディスク（２２）の開口の長さと同等又はそれより短い長さと、前記開口の幅より小さい厚さとを有する、
という事実によって特徴付けられる請求項１及び６乃至１１１４及び１７記載の廃棄物を収集及び押圧する装置。
【請求項１３】
前記持上げディスク（２２）の前記伸縮性水圧シリンダは、前記持上げディスクをその初期位置から前記保留するシステム（２４）のレベルの少なくとも上方まで伸張させる性能を備える、
という事実によって特徴付けられる請求項１及び６乃至１２記載の廃棄物を収集及び押圧する装置。
【請求項１４】
前記廃棄物処理チャンバ（１７）は、前記廃棄物圧縮チャンバ（１８）の断面と同一の断面を有する直線的ダクトである、という事実と、
前記廃棄物処理のチャンバ（１７）は、前記支持基部１１内において配置され、その開口は同心円状に接触し得る、という事実と、
前記ダクトは、その上方端及び下方端において開放する一方、前記持上げディスク（２２）は、前記廃棄物処理のチャンバ（１７）内における前記下方開放端において同心円状に配置され、それによってその下部を構成する、という事実と、
によって特徴付けられる請求項１、２、４、６乃至９、及び１１乃至１３記載の廃棄物を収集及び押圧する装置。
【請求項１５】
前記主要ピボット部材（１３）及び前記支持基部（１１）は、その外部において広告表示アートワークの懸架に適切である表面（２３）を与えられる、
という事実によって特徴付けられる請求項１乃至３記載の廃棄物を収集及び押圧する装置。